(57)【要約】【課題】折り畳み式構造を有する電子機器において、２つの筐体の開閉状態に応じて個別の音声処理を行うことのできる電子機器を提供する。【解決手段】折り畳み式の携帯電話機１１において、蓋体として使用される筐体１２と、機器本体としてユーザに保持される筐体１３とがヒンジ機構１４を介して互いに開閉自在に取り付けられる。この筐体１２と筐体１３に音声機器として特殊スピーカ３１，３２を個別に設けると共に、筐体１２と筐体１３の開閉状態を検出するスイッチ等を備えることで、筐体１２と筐体１３の開閉状態に応じて特殊スピーカ３１，３２の両方または一方を使用して、それぞれに個別の音声処理を行うことを可能とする。【選択図】      図２
2006054799.tif 000002
【特許請求の範囲】
【請求項１】
第１の筐体と第２の筐体がヒンジ機構を介して互いに開閉自在な構造を有する電子機器において、
前記第１の筐体と前記第２の筐体に個別に設けられた２つの音声機器と、
前記第１の筐体と前記第２の筐体の開閉状態を検出する開閉検出手段と、
この開閉検出手段によって検出される前記第１の筐体と前記第２の筐体の開閉状態に基づいて、前記２つの音声機器の両方または一方を使用して所定の音声処理を行う制御手段と
を具備したことを特徴とする電子機器。
【請求項２】
前記制御手段は、前記開閉検出手段によって前記第１の筐体と前記第２の筐体が開いた状態であることが検出された場合に前記２つの音声機器の両方を使用し、前記開閉検出手段によって前記第１の筐体と前記第２の筐体が閉じた状態であることが検出された場合に前記２つの音声機器の一方を使用することを特徴とする請求項１記載の電子機器。
【請求項３】
第１の筐体と第２の筐体がヒンジ機構を介して互いに開閉自在な構造を有する電子機器において、
前記第１の筐体と前記第２の筐体に個別に設けられた２つの音声機器と、
前記第１の筐体と前記第２の筐体の開閉状態を検出する開閉検出手段と、
前記第１および第２の筐体のうち、少なくとも機器本体としてユーザに保持される第２の筐体の向きを検出する向き検出手段と、
前記開閉検出手段によって検出される前記第１の筐体と前記第２の筐体の開閉状態と前記向き検出手段によって検出される筐体の向きに基づいて、前記２つの音声機器の両方または一方を使用して所定の音声処理を行う制御手段と
を具備したことを特徴とする電子機器。
【請求項４】
前記制御手段は、前記開閉検出手段によって前記第１の筐体と前記第２の筐体が開いた状態であることが検出された場合に、前記向き検出手段によって検出される前記第２の筐体の向きが横向きであった場合に前記２つの音声機器の両方を使用し、前記第２の筐体の向きが横向き以外であった場合に前記２つの音声機器の一方を使用することを特徴とする請求項３記載の電子機器。
【請求項５】
前記制御手段は、前記開閉検出手段によって前記第１の筐体と前記第２の筐体が閉じた状態であることが検出された場合に、前記向き検出手段によって検出される前記第２の筐体の向きに関係なく、前記２つの音声機器の一方を使用することを特徴とする請求項３記載の電子機器。
【請求項６】
前記２つの音声機器は、前記第１の筐体と前記第２の筐体の外側面に設けられることを特徴とする請求項１乃至５のいずれか１つに記載の電子機器。
【請求項７】
前記２つの音声機器は、前記第１の筐体と前記第２の筐体の先端部に、閉じたときに同じ方向を向くように設けられることを特徴とする請求項１乃至５のいずれか１つに記載の電子機器。
【請求項８】
前記第１の筐体は、閉じたときに前記第２の筐体の一部を露出させる構造を有し、その露出部に前記２つの音声機器の一方が設けられることを特徴とする請求項１乃至５のいずれか１つに記載の電子機器。
【請求項９】
前記２つの音声機器は、音声データを出力するスピーカであることを特徴とする請求項１乃至８のいずれか１つに記載の電子機器。
【請求項１０】
前記２つの音声機器は、音声データを入力するマイクであることを特徴とする請求項１乃至８のいずれか１つに記載の電子機器。
【請求項１１】
前記２つの音声機器は、音声データを入力するマイクであり、
その２つのマイクと連動して静止画または動画撮影を行う２つのカメラが前記２つのマイクの近傍に設けられていることを特徴とする請求項１乃至８のいずれか１つに記載の電子機器。
【請求項１２】
第１の筐体と第２の筐体がヒンジ機構を介して互いに開閉自在な構造を有する電子機器において、
前記第１の筐体と前記第２の筐体に個別に設けられた２つのスピーカと、
前記第１の筐体と前記第２の筐体の開閉状態を検出する開閉検出手段と、
この開閉検出手段によって検出される前記第１の筐体と前記第２の筐体の開閉状態に基づいて、前記２つのスピーカの両方を使用して音声データをステレオ形式で出力処理するか、または、前記２つのスピーカの一方を使用して音声データをモノラル形式で出力処理する制御手段と
を具備したことを特徴とする電子機器。
【請求項１３】
第１の筐体と第２の筐体がヒンジ機構を介して互いに開閉自在な構造を有する電子機器において、
前記第１の筐体と前記第２の筐体に個別に設けられた２つのスピーカと、
前記第１の筐体と前記第２の筐体の開閉状態を検出する開閉検出手段と、
前記第１および第２の筐体のうち、少なくとも機器本体としてユーザに保持される第２の筐体の向きを検出する向き検出手段と、
前記開閉検出手段によって検出される前記第１の筐体と前記第２の筐体の開閉状態と前記向き検出手段によって検出される筐体の向きに基づいて、前記２つのスピーカの両方を使用して音声データをステレオ形式で出力処理するか、または、前記２つのスピーカの一方を使用して音声データをモノラル形式で出力処理する制御手段と
を具備したことを特徴とする電子機器。
【請求項１４】
第１の筐体と第２の筐体がヒンジ機構を介して互いに開閉自在な構造を有する電子機器において、
前記第１の筐体と前記第２の筐体に個別に設けられた２つのマイクと、
前記第１の筐体と前記第２の筐体の開閉状態を検出する開閉検出手段と、
この開閉検出手段によって検出される前記第１の筐体と前記第２の筐体の開閉状態に基づいて、前記２つのマイクの両方を使用して音声データをステレオ形式で入力処理するか、または、前記２つのマイクの一方を使用して音声データをモノラル形式で入力処理する制御手段と
を具備したことを特徴とする電子機器。
【請求項１５】
第１の筐体と第２の筐体がヒンジ機構を介して互いに開閉自在な構造を有する電子機器において、
前記第１の筐体と前記第２の筐体に個別に設けられた２つのマイクと、
前記第１の筐体と前記第２の筐体の開閉状態を検出する開閉検出手段と、
前記第１および第２の筐体のうち、少なくとも機器本体としてユーザに保持される第２の筐体の向きを検出する向き検出手段と、
前記開閉検出手段によって検出される前記第１の筐体と前記第２の筐体の開閉状態と前記向き検出手段によって検出される筐体の向きに基づいて、前記２つのマイクの両方を使用して音声データをステレオ形式で入力処理するか、または、前記２つのマイクの一方を使用して音声データをモノラル形式で入力処理する制御手段と
を具備したことを特徴とする電子機器。
【請求項１６】
前記２つのマイクの近傍に設けられた２つのカメラを備え、
前記制御手段は、前記２つのマイクの音声入力動作と連動させて前記２つのカメラによる画像データの入力処理を行うことを特徴とする請求項１４または１５記載の電子機器。
【請求項１７】
第１の筐体と第２の筐体がヒンジ機構を介して互いに開閉自在な構造を有すると共に、前記第１の筐体と前記第２の筐体に２つの音声機器が個別に設けられた電子機器に用いられる音声処理方法であって、
前記第１の筐体と前記第２の筐体の開閉状態を検出する開閉検出ステップと、
この開閉検出ステップによって前記第１の筐体と前記第２の筐体が開いた状態であることが検出された場合に前記２つの音声機器の両方を使用し、前記第１の筐体と前記第２の筐体が閉じた状態であることが検出された場合に前記２つの音声機器の一方を使用して所定の音声処理を行う制御ステップと
を備えたことを特徴とする音声処理方法。
【請求項１８】
前記第１および第２の筐体のうち、少なくとも機器本体としてユーザに保持される第２の筐体の向きを検出する向き検出ステップをさらに備え、
前記制御ステップは、
前記開閉検出ステップによって前記第１の筐体と前記第２の筐体が開いた状態であることが検出された場合に、前記向き検出ステップによって検出される前記第２の筐体の向きが横向きであった場合に前記２つの音声機器の両方を使用し、前記第２の筐体の向きが横向き以外であった場合に前記２つの音声機器の一方を使用することを特徴とする請求項１７記載の音声処理方法。
【請求項１９】
第１の筐体と第２の筐体がヒンジ機構を介して互いに開閉自在な構造を有すると共に、前記第１の筐体と前記第２の筐体に２つの音声機器が個別に設けられた電子機器を制御するコンピュータに用いられるプログラムであって、
前記コンピュータに、
前記第１の筐体と前記第２の筐体の開閉状態を検出する開閉検出機能と、
この開閉検出機能によって前記第１の筐体と前記第２の筐体が開いた状態であることが検出された場合に前記２つの音声機器の両方を使用し、前記第１の筐体と前記第２の筐体が閉じた状態であることが検出された場合に前記２つの音声機器の一方を使用して所定の音声処理を行う制御機能と
を実現させることを特徴とするプログラム。
【請求項２０】
前記第１および第２の筐体のうち、少なくとも機器本体としてユーザに保持される第２の筐体の向きを検出する向き検出機能をさらに備え、
前記制御機能は、
前記開閉検出機能によって前記第１の筐体と前記第２の筐体が開いた状態であることが検出された場合に、前記向き検出機能によって検出される前記第２の筐体の向きが横向きであった場合に前記２つの音声機器の両方を使用し、前記第２の筐体の向きが横向き以外であった場合に前記２つの音声機器の一方を使用することを特徴とする請求項１９記載のプログラム。
【発明の詳細な説明】
【技術分野】
【０００１】
本発明は、例えば折り畳み式の携帯電話機など、互いに開閉自在に取り付けられた２つの筐体からなる電子機器と、この電子機器に用いられる音声処理方法及びプログラムに関する。
【背景技術】
【０００２】
近年、携帯電話機の普及に伴い、その機能が多様化する一方、構造的にも様々な形をしたものが増えて来ている。その中でも、特に「折り畳み式」と呼ばれる形の携帯電話機が広く普及しており、主流となりつつある。
【０００３】
この折り畳み式の携帯電話機は、主として表示部を有する第１の筐体と、主として操作部を有する第２の筐体とからなり、この２つの筐体がヒンジ機構を介して開閉自在に取り付けられた構造を有する（例えば、特許文献１参照）。
【０００４】
この種の携帯電話機では、未使用時には第１の筐体を蓋体として第２の筐体側に伏せて閉じた状態にし、使用時には第１の筐体を引き起こして開いた状態にして、その第１の筐体の内側に設けられた表示部の画面を見ながら、第２の筐体の内側に設けられた操作部を操作して、電話の着呼操作やメールの送受信操作などを行う。
【０００５】
一方、メモリの大容量化や圧縮技術の進歩により、所謂「着メロ」（着信を知らせるメロディ）や「着うた」（着信を知らせる歌）、さらに、通常の音楽プレーヤで扱うような音楽データなど、様々な音声データをファイル化して記録しておき、これらをいつでも自由に再生可能な機種が急増している。
【０００６】
ここで、携帯電話機では、スピーカは蓋体として用いられる第１の筐体の内側面、マイクは機器本体としてユーザが保持する第２の筐体の内側面に設置されているのが一般的である。これは、通話時において、第１の筐体と第２の筐体を開いた状態で第１の筐体を上に縦向きにして持ち、その第１の筐体の内側上部にユーザの耳を当て、第２の筐体の内側下部に口元に当てるような姿勢で会話するためである。
【０００７】
一方、最近では、ＣＣＤ（ｃｈａｒｇｅ  ｃｏｕｐｌｅｄ  ｄｅｖｉｃｅ）などを用いた小型の電子カメラを搭載し、静止画あるいは動画の撮影を可能とする携帯電話機も開発されており、その普及が目覚ましい。
【０００８】
前記特許文献１にも開示されているように、この種のカメラは、通常、蓋体となる第１の筐体の外側に設置されており、ユーザ（撮影者）はその第１の筐体内側の表示画面に表示されるスルー画像を確認しながら、撮影操作を行う構成になっている。この場合、画像データだけでなく、音声データを同時に入力することで、音声付き画像データの記録が可能である。
【特許文献１】特開２００３−２９８６８２号公報
【発明の開示】
【発明が解決しようとする課題】
【０００９】
上述したように、折り畳み式の携帯電話機では、通話用に第１の筐体の内側にスピーカ、第２の筐体の内側にマイクをそれぞれ１つ設置しているのが一般的である。したがって、常に第１の筐体と第２の筐体を開いておかないと、音声データを再生あるいは録音することができず、また、モノラル形式でしか再生あるいは録音の音声処理を行えないなどの問題があった。
【００１０】
そこで、本発明は、折り畳み式構造を有する電子機器において、２つの筐体の開閉状態に応じて個別の音声処理を行うことのできる電子機器、音声処理方法及びプログラムを提供することを目的とする。
【課題を解決するための手段】
【００１１】
本発明の請求項１に係る電子機器は、第１の筐体と第２の筐体がヒンジ機構を介して互いに開閉自在な構造を有する電子機器において、前記第１の筐体と前記第２の筐体に個別に設けられた２つの音声機器と、前記第１の筐体と前記第２の筐体の開閉状態を検出する開閉検出手段と、この開閉検出手段によって検出される前記第１の筐体と前記第２の筐体の開閉状態に基づいて、前記２つの音声機器の両方または一方を使用して所定の音声処理を行う制御手段とを具備して構成される。
【００１２】
このような構成によれば、本機器を構成する第１の筐体と第２の筐体に２つの音声機器を個別に設けると共に、第１の筐体と第２の筐体の開閉状態を検出する開閉検出手段を備えることで、第１の筐体と第２の筐体の開閉状態に応じて前記２つの音声機器の両方または一方を使用して、それぞれに個別の音声処理を行うことができる。
【００１３】
また、本発明の請求項２は、前記請求項１記載の電子機器において、前記制御手段は、前記開閉検出手段によって前記第１の筐体と前記第２の筐体が開いた状態であることが検出された場合に前記２つの音声機器の両方を使用し、前記開閉検出手段によって前記第１の筐体と前記第２の筐体が閉じた状態であることが検出された場合に前記２つの音声機器の一方を使用することを特徴とする。
【００１４】
このような構成によれば、第１の筐体と第２の筐体を開いたときに２つの音声機器の両方を使用し、第１の筐体と第２の筐体を開いたときに２つの音声機器の一方を使用して音声処理できる。
【００１５】
本発明の請求項３に係る電子機器は、第１の筐体と第２の筐体がヒンジ機構を介して互いに開閉自在な構造を有する電子機器において、前記第１の筐体と前記第２の筐体に個別に設けられた２つの音声機器と、前記第１の筐体と前記第２の筐体の開閉状態を検出する開閉検出手段と、前記第１および第２の筐体のうち、少なくとも機器本体としてユーザに保持される第２の筐体の向きを検出する向き検出手段と、前記開閉検出手段によって検出される前記第１の筐体と前記第２の筐体の開閉状態と前記向き検出手段によって検出される筐体の向きに基づいて、前記２つの音声機器の両方または一方を使用して所定の音声処理を行う制御手段とを具備して構成される。
【００１６】
このような構成によれば、本機器を構成する第１の筐体と第２の筐体に２つの音声機器を個別に設けると共に、第１の筐体と第２の筐体の開閉状態を検出する開閉検出手段と、さらに、機器本体としてユーザに保持される第２の筐体の向きを検出する向き検出手段とを備えることで、第１の筐体と第２の筐体の開閉状態と第２の筐体の向きに応じて、前記２つの音声機器の両方または一方を使用して、それぞれに個別の音声処理を行うことができる。
【００１７】
また、本発明の請求項４は、前記請求項３記載の電子機器において、前記制御手段は、前記開閉検出手段によって前記第１の筐体と前記第２の筐体が開いた状態であることが検出された場合に、前記向き検出手段によって検出される前記第２の筐体の向きが横向きであった場合に前記２つの音声機器の両方を使用し、前記第２の筐体の向きが横向き以外であった場合に前記２つの音声機器の一方を使用することを特徴とする。
【００１８】
このような構成によれば、第１の筐体と第２の筐体を開いたときに、第２の筐体の向きが横向きであれば、前記２つの音声機器の両方を使用し、第２の筐体の向きが横向き以外であれば、前記２つの音声機器の一方を使用して、それぞれに個別に音声処理できる。
【００１９】
また、本発明の請求項５は、前記請求項３記載の電子機器において、前記制御手段は、前記開閉検出手段によって前記第１の筐体と前記第２の筐体が閉じた状態であることが検出された場合に、前記向き検出手段によって検出される前記第２の筐体の向きに関係なく、前記２つの音声機器の一方を使用することを特徴とする。
【００２０】
このような構成によれば、第１の筐体と第２の筐体を閉じた状態では、第２の筐体の向きに関係なく、前記２つの音声機器の一方を使用して音声処理できる。
【００２１】
また、本発明の請求項６は、前記請求項１乃至５のいずれか１つに記載の電子機器において、前記２つの音声機器は、前記第１の筐体と前記第２の筐体の外側面に設けられることを特徴とする。
【００２２】
このような構成によれば、２つの音声機器を第１の筐体と第２の筐体の外側面に設けておくことで、第１の筐体と第２の筐体の開閉状態に応じて前記２つの音声機器を適宜使い分けて音声処理できる。
【００２３】
また、本発明の請求項７は、前記請求項１乃至５のいずれか１つに記載の電子機器において、前記２つの音声機器は、前記第１の筐体と前記第２の筐体の先端部に、閉じたときに同じ方向を向くように設けられることを特徴とする。
【００２４】
このような構成によれば、２つの音声機器を第１の筐体と第２の筐体の先端部に設けておくことで、第１の筐体と第２の筐体の開閉状態に応じて前記２つの音声機器を適宜使い分けて音声処理できる。
【００２５】
また、本発明の請求項８は、前記請求項１乃至５のいずれか１つに記載の電子機器において、前記第１の筐体は、閉じたときに前記第２の筐体の一部を露出させる構造を有し、その露出部に前記２つの音声機器の一方が設けられることを特徴とする。
【００２６】
このような構成によれば、第１の筐体が閉じたときに第２の筐体の一部を露出させる構造を有する場合でも、その露出部に前記２つの音声機器の一方を設けておくことで、第１の筐体と第２の筐体の開閉状態に応じて前記２つの音声機器を適宜使い分けて音声処理できる。
【００２７】
また、本発明の請求項９は、前記請求項１乃至８のいずれか１つに記載の電子機器において、前記２つの音声機器は、音声データを出力するスピーカであることを特徴とする。
【００２８】
このような構成によれば、第１の筐体と第２の筐体の開閉状態に応じて、前記２つの音声機器として設けられたスピーカを適宜使い分けて音声データを出力することができる。
【００２９】
また、本発明の請求項１０は、前記請求項１乃至８のいずれか１つに記載の電子機器において、前記２つの音声機器は、音声データを入力するマイクであることを特徴とする。
【００３０】
このような構成によれば、第１の筐体と第２の筐体の開閉状態に応じて、前記２つの音声機器として設けられたマイクを適宜使い分けて音声データを入力することができる。
【００３１】
また、本発明の請求項１１は、前記請求項１乃至８のいずれか１つに記載の電子機器において、前記２つの音声機器は、音声データを入力するマイクであり、その２つのマイクと連動して静止画または動画撮影を行う２つのカメラが前記２つのマイクの近傍に設けられていることを特徴とする。
【００３２】
このような構成によれば、第１の筐体と第２の筐体の開閉状態に応じて、前記２つの音声機器として設けられたマイクをそれらの近傍に設置された２つのカメラと連動させて音声付きの画像データを入力することができる。
【００３３】
本発明の請求項１２に係る電子機器は、第１の筐体と第２の筐体がヒンジ機構を介して互いに開閉自在な構造を有する電子機器において、前記第１の筐体と前記第２の筐体に個別に設けられた２つのスピーカと、前記第１の筐体と前記第２の筐体の開閉状態を検出する開閉検出手段と、この開閉検出手段によって検出される前記第１の筐体と前記第２の筐体の開閉状態に基づいて、前記２つのスピーカの両方を使用して音声データをステレオ形式で出力処理するか、または、前記２つのスピーカの一方を使用して音声データをモノラル形式で出力処理する制御手段とを具備して構成される。
【００３４】
このような構成によれば、本機器を構成する第１の筐体と第２の筐体に２つのスピーカを個別に設けると共に、第１の筐体と第２の筐体の開閉状態を検出する開閉検出手段を備えることで、第１の筐体と第２の筐体の開閉状態に応じて前記２つのスピーカの両方または一方を使用して、音声データをステレオまたはモノラルの形式で出力処理することができる。
【００３５】
本発明の請求項１３に係る電子機器は、第１の筐体と第２の筐体がヒンジ機構を介して互いに開閉自在な構造を有する電子機器において、前記第１の筐体と前記第２の筐体に個別に設けられた２つのスピーカと、前記第１の筐体と前記第２の筐体の開閉状態を検出する開閉検出手段と、前記第１および第２の筐体のうち、少なくとも機器本体としてユーザに保持される第２の筐体の向きを検出する向き検出手段と、前記開閉検出手段によって検出される前記第１の筐体と前記第２の筐体の開閉状態と前記向き検出手段によって検出される筐体の向きに基づいて、前記２つのスピーカの両方を使用して音声データをステレオ形式で出力処理するか、または、前記２つのスピーカの一方を使用して音声データをモノラル形式で出力処理する制御手段とを具備して構成される。
【００３６】
このような構成によれば、第１の筐体と第２の筐体を開いたときに２つのスピーカの両方を使用して音声データをステレオ形式で出力処理し、第１の筐体と第２の筐体を開いたときに２つのスピーカの一方を使用して音声データをモノラル形式で出力処理することができる。
【００３７】
本発明の請求項１４に係る電子機器は、第１の筐体と第２の筐体がヒンジ機構を介して互いに開閉自在な構造を有する電子機器において、前記第１の筐体と前記第２の筐体に個別に設けられた２つのマイクと、前記第１の筐体と前記第２の筐体の開閉状態を検出する開閉検出手段と、この開閉検出手段によって検出される前記第１の筐体と前記第２の筐体の開閉状態に基づいて、前記２つのマイクの両方を使用して音声データをステレオ形式で入力処理するか、または、前記２つのマイクの一方を使用して音声データをモノラル形式で入力処理する制御手段とを具備して構成される。
【００３８】
このような構成によれば、本機器を構成する第１の筐体と第２の筐体に２つのマイクを個別に設けると共に、第１の筐体と第２の筐体の開閉状態を検出する開閉検出手段を備えることで、第１の筐体と第２の筐体の開閉状態に応じて前記２つのマイクの両方または一方を使用して、音声データをステレオまたはモノラルの形式で入力処理することができる。
【００３９】
本発明の請求項１５に係る電子機器は、第１の筐体と第２の筐体がヒンジ機構を介して互いに開閉自在な構造を有する電子機器において、前記第１の筐体と前記第２の筐体に個別に設けられた２つのマイクと、前記第１の筐体と前記第２の筐体の開閉状態を検出する開閉検出手段と、前記第１および第２の筐体のうち、少なくとも機器本体としてユーザに保持される第２の筐体の向きを検出する向き検出手段と、前記開閉検出手段によって検出される前記第１の筐体と前記第２の筐体の開閉状態と前記向き検出手段によって検出される筐体の向きに基づいて、前記２つのマイクの両方を使用して音声データをステレオ形式で入力処理するか、または、前記２つのマイクの一方を使用して音声データをモノラル形式で入力処理する制御手段とを具備して構成される。
【００４０】
このような構成によれば、第１の筐体と第２の筐体を開いたときに２つのマイクの両方を使用して音声データをステレオ形式で入力処理し、第１の筐体と第２の筐体を開いたときに２つのマイクの一方を使用して音声データをモノラル形式で入力処理することができる。
【００４１】
また、本発明の請求項１６は、前記請求項１４または１５記載の電子機器において、前記２つのマイクの近傍に設けられた２つのカメラを備え、前記制御手段は、前記２つのマイクの音声入力動作と連動させて前記２つのカメラによる画像データの入力処理を行うことを特徴とする。
【００４２】
このような構成によれば、マイクとカメラとを連動させ、第１の筐体と第２の筐体を開いたときに２つのカメラの両方を使用して音声付き画像データを得ることができ、第１の筐体と第２の筐体を開いたときに２つのカメラの一方を使用して音声付き画像データを得ることができる。
【００４３】
本発明の請求項１７に係る音声処理方法は、第１の筐体と第２の筐体がヒンジ機構を介して互いに開閉自在な構造を有すると共に、前記第１の筐体と前記第２の筐体に２つの音声機器が個別に設けられた電子機器に用いられる音声処理方法であって、前記第１の筐体と前記第２の筐体の開閉状態を検出する開閉検出ステップと、この開閉検出ステップによって前記第１の筐体と前記第２の筐体が開いた状態であることが検出された場合に前記２つの音声機器の両方を使用し、前記第１の筐体と前記第２の筐体が閉じた状態であることが検出された場合に前記２つの音声機器の一方を使用して所定の音声処理を行う制御ステップとを備えたことを特徴とする。
【００４４】
このような音声処理方法によれば、前記各ステップに従った処理を実行することにより、前記請求項２記載の発明と同様の作用効果が奏せられる。
【００４５】
また、本発明の請求項１８は、前記請求項１７記載の音声処理方法において、前記第１および第２の筐体のうち、少なくとも機器本体としてユーザに保持される第２の筐体の向きを検出する向き検出ステップをさらに備え、前記制御ステップは、前記開閉検出ステップによって前記第１の筐体と前記第２の筐体が開いた状態であることが検出された場合に、前記向き検出ステップによって検出される前記第２の筐体の向きが横向きであった場合に前記２つの音声機器の両方を使用し、前記第２の筐体の向きが横向き以外であった場合に前記２つの音声機器の一方を使用することを特徴とする。
【００４６】
このような音声処理方法によれば、前記各ステップに従った処理を実行することにより、前記請求項４記載の発明と同様の作用効果が奏せられる。
【００４７】
本発明の請求項１９に係るプログラムは、第１の筐体と第２の筐体がヒンジ機構を介して互いに開閉自在な構造を有すると共に、前記第１の筐体と前記第２の筐体に２つの音声機器が個別に設けられた電子機器を制御するコンピュータに用いられるプログラムであって、前記コンピュータに、前記第１の筐体と前記第２の筐体の開閉状態を検出する開閉検出機能と、この開閉検出機能によって前記第１の筐体と前記第２の筐体が開いた状態であることが検出された場合に前記２つの音声機器の両方を使用し、前記第１の筐体と前記第２の筐体が閉じた状態であることが検出された場合に前記２つの音声機器の一方を使用して所定の音声処理を行う制御機能とを実現させることを特徴とする。
【００４８】
したがって、コンピュータが前記各機能を実現するためのプログラムを実行することにより、前記請求項２記載の発明と同様の作用効果が奏せられる。
【００４９】
また、本発明の請求項２０は、前記請求項１９記載のプログラムにおいて、前記第１および第２の筐体のうち、少なくとも機器本体としてユーザに保持される第２の筐体の向きを検出する向き検出機能をさらに備え、前記制御機能は、前記開閉検出機能によって前記第１の筐体と前記第２の筐体が開いた状態であることが検出された場合に、前記向き検出機能によって検出される前記第２の筐体の向きが横向きであった場合に前記２つの音声機器の両方を使用し、前記第２の筐体の向きが横向き以外であった場合に前記２つの音声機器の一方を使用することを特徴とする。
【００５０】
したがって、コンピュータが前記各機能を実現するためのプログラムを実行することにより、前記請求項４記載の発明と同様の作用効果が奏せられる。
【発明の効果】
【００５１】
本発明によれば、折り畳み式構造を有する電子機器において、第１の筐体と第２の筐体に２つの音声機器を個別に設け、第１の筐体と第２の筐体の開閉状態を検出するようにしたことで、前記２つの音声機器を第１の筐体と第２の筐体の開閉状態に応じて使い分けて、それぞれに個別の音声処理を行うことが可能となる。
【発明を実施するための最良の形態】
【００５２】
以下、図面を参照して本発明の実施形態を説明する。
【００５３】
（第１の実施形態）
図１は本発明の第１の実施形態に係る電子機器として折り畳み式の携帯電話機を例にした場合の外観構成を示す図であり、図１（ａ）は開いた状態、同図（ｂ）は閉じた状態を示している。
【００５４】
図１に示すように、この携帯電話機１１は、２つの直方体形状の筐体１２，１３がヒンジ機構１４を介して一定の角度範囲内で回動自在に一体に構成された折り畳式となっており、図１（ａ）が最大限に開いた状態の内面の構成を、図１（ｂ）が折り畳んだ状態の外面の構成を示している。
【００５５】
この携帯電話機１１を構成する筐体１２（第１の筐体）と筐体１３（第２の筐体）のうち、下側の筐体１３は機器本体としてユーザに保持され、上側の筐体１２は機器本体の表面を覆う蓋体として使用され、機器本体の長手方向に接続される。
【００５６】
上側の筐体１２の内側面１２ａにはメイン表示部１５、通話時に送話器として用いられるスピーカ１６などが備えられると共に、外側面１２ｂにはサブ表示部１７などが備えられる。メイン表示部１５およびサブ表示部１７は、それぞれバックライト付きカラーＬＣＤ（Liquid Crystal Display）から構成され、メイン表示部１５は筐体１２，１３を開いた状態で各種メニューなどを表示し、サブ表示部１９は筐体１２，１３を閉じた状態で着信やメール受信のメッセージなどを表示する。
【００５７】
一方、機器本体である下側の筐体１３は主として操作部として用いられ、その内側面１３ａにはダイヤルキー１８ａ等を含む各種操作キーからなる操作部１８や、通話時に送話器として用いられるマイクロホン１９などが備えられる。
【００５８】
各種操作部１８は、例えばダイヤルキー１８ａや電源キー１８ｂ、着信キー１８ｃなどの他に、各種機能の選択操作に用いられる機能キー１８ｄを備えると共に、後述する他の実施形態で用いられるカメラの撮影モードを設定するためのカメラキー１８ｅなどを備える。
【００５９】
さらに、この筐体１３の底部（外側面１３ｂ）の一端側には、通信用のアンテナ２０が伸縮自在に取り付けられていると共に、図２に示すように、図示せぬバッテリパックを収納するためのバッテリ収納部２１などが設けられている。
【００６０】
図２は第１の実施形態における携帯電話機１１に備えられた２つの特殊スピーカ３１，３２の設置例を示す図である。
【００６１】
この携帯電話機１１には、前記通話用の受話器として標準装備されているスピーカ１６とは別に、例えば音楽データなどの音声データを入力するための特定の音声出力機器として、２つの特殊スピーカ３１，３２が備えられている。
【００６２】
この特殊スピーカ３１，３２のうち、一方の特殊スピーカ３１は蓋体である筐体１２の外側面１２ｂに設けられ、他方の特殊スピーカ３２は機器本体である筐体１３の外側面１３ｂに設けられている。この場合、筐体１２，１３を開いた状態で、この２つの特殊スピーカ３１，３２がある程度の間隔を開けて離間するように、それぞれの筐体１２，１３の一端側に配設される。
【００６３】
図３は携帯電話機１１の向きを説明するための図であり、図３（ａ）は縦向き、同図（ｂ）は横向き、同図（ｃ）は水平向きの状態を示している。
【００６４】
この携帯電話機１１において、機器本体である筐体１３には開閉検出スイッチ３３および向き検出センサ３４が設置されている。開閉検出スイッチ３３は、例えばマイクロスイッチからなり、筐体１２と筐体１３の開閉状態を検出する。この開閉検出スイッチ３３は、筐体１３のヒンジ機構１４の近傍に設置されており、スイッチピン３３ａの押下により筐体１２と筐体１３が閉じた状態であることを検出する。
【００６５】
また、向き検出センサ３４は、例えばＸ，Ｙ，Ｚの３軸の加速度センサなどからなり、図３（ａ）に示すように筐体１２を上にして筐体１３を縦向きにした状態と、同図（ｂ）に示すように筐体１２と筐体１３を横向きにした状態、さらに、同図（ｃ）に示すように、筐体１３の平面を水平にした状態を検出する。
【００６６】
次に、携帯電話機１１の回路構成について説明する。
【００６７】
図４は第１の実施形態における携帯電話機１１の回路構成を示すブロック図である。この携帯電話機１１には、マイクロコンピュータであるＣＰＵ４１が備えられる。ＣＰＵ４１は、ＲＯＭ４２などに記憶されたプログラムを読み込み、そのプログラムに記述された手順に従って各種処理を実行するものであり、ここでは特定の音声データの出力処理を実行する。
【００６８】
このＣＰＵ４１には、操作部１８、メイン表示部１５、サブ表示部１７、開閉検出スイッチ３３、向き検出センサ３４などが接続されると共に、ＲＯＭ４２、ＲＡＭ４３、通信部４４、出力切替え部４５が接続される。
【００６９】
図１に示したように、操作部１８は、ダイヤルキー１８ａや電源キー１８ｂ、着信キー１８ｃ、機能キー１８ｄ、カメラキー１８ｅなどからなり、これらのキーの押下操作に伴い各種信号の入力を行う。メイン表示部１５は、筐体１２の内側面１２ａに設けられ、筐体１２，１３を開いた状態で各種メニューなどを表示する。サブ表示部１９は、筐体１２の外側面１２ｂに設けられ、筐体１２，１３を閉じた状態で着信やメール受信のメッセージなどを表示する。
【００７０】
また、図３に示したように、開閉検出スイッチ３３は、筐体１２と筐体１３の開閉状態を検出するためのスイッチであり、その検出信号をＣＰＵ４１に出力する。この場合、図１（ｂ）のように筐体１２と筐体１３が完全に重なった状態を閉状態とし、その状態から筐体１２と筐体１３が少しでも離間したら開状態であるとして検出する。
【００７１】
向き検出センサ３４は、少なくとも機器本体としてユーザが保持する筐体１３の向きを検出するためのセンサであり、その検出信号をＣＰＵ４１に出力する。この場合、図３（ａ）のように筐体１２を上にして筐体１３を縦にした状態を縦向き、同図（ｂ）のように筐体１２と筐体１３を横にした状態を横向きとして検出する。さらに、同図（ｃ）のように、筐体１３の平面を水平にした状態を水平向きとして検出する。
【００７２】
ＲＯＭ４２には、ＣＰＵ４１を起動するためのプログラムを含む各種プログラムデータなどを記憶している。ＲＡＭ４３は、本機器の動作に必要な各種データを記憶する。このＲＡＭ４３には、特定の音声データを所定の形式でファイル化した音声ファイルが多数記憶されていると共に、ここではその音声ファイルの再生時に参照される制御テーブルＴ１およびＴ２が記憶されている。なお、制御テーブルＴ１およびＴ２の構成については、後に図５を参照して説明する。
【００７３】
通信部４４は、移動通信システムを実現するための回路ユニットであり、例えばＲＦ（ｒａｄｉｏ  ｆｒｅｑｕｅｎｃｙ）部、変復調部、ＣＤＭＡ部などから構成され、アンテナ２０を介して図示せぬ基地局との間で所定の方式にて無線通信を行う。この通信部４４にはスピーカ１６およびマイクロホン１９が接続されており、通話時の音声データの入出力はこのスピーカ１６およびマイクロホン１９を通じて行われる。
【００７４】
また、出力切替え部４５は、ＣＰＵ４１からの切替え指示に従って、２つの特殊スピーカ３１，３２のオン／オフ動作の切り替えを行う。図２に示したように、特殊スピーカ３１は蓋体である筐体１２の外側面１２ｂに設けられ、特殊スピーカ３２は機器本体である筐体１３の外側面１３ｂに設けられており、音声出力時にはその両方のスピーカあるいは一方のスピーカが使用される。
【００７５】
図５は携帯電話機１１のＲＡＭ４３に設けられた制御テーブルＴ１およびＴ２の構成を示す図であり、図５（ａ）は制御テーブルＴ１の構成、同図（ｂ）は制御テーブルＴ２の構成を示している。なお、図中のスピーカＡは特殊スピーカ３１、スピーカＢは特殊スピーカ３２に対応している。
【００７６】
制御テーブルＴ１は、筐体１２，１３の開閉状態と使用スピーカとの対応関係を記憶したテーブルである。図５（ａ）に示すように、この制御テーブルＴ１には、筐体１２，１３が閉状態のときに特殊スピーカ３１（スピーカＡ）を使用し、筐体１２，１３が開状態のときに特殊スピーカ３１（スピーカＡ）と特殊スピーカ３２（スピーカＢ）の両方を使用することが予め設定されている。
【００７７】
制御テーブルＴ２は、筐体１２，１３の開閉状態および筐体１３の向きと使用スピーカとの対応関係を記憶したテーブルである。図５（ｂ）に示すように、この制御テーブルＴ２には、筐体１２，１３が閉状態のときに特殊スピーカ３１（スピーカＡ）を使用することが予め設定されている。また、筐体１２，１３が開状態であり、かつ、筐体１３の向きが縦向きのときに特殊スピーカ３１（スピーカＡ）を使用し、筐体１２，１３が開状態であり、かつ、筐体１３の向きが横向きのときに特殊スピーカ３１（スピーカＡ）と特殊スピーカ３２（スピーカＢ）の両方を使用することが予め設定されている。
【００７８】
次に、第１の実施形態の動作について説明する。
【００７９】
なお、以下のフローチャートに示される各処理は、この携帯電話機１１に搭載されたマイクロコンピュータであるＣＰＵ４１がプログラムを読み込むことにより実行される。他の実施形態についても同様であり、ＣＰＵ４１がプログラムを読み込むことで、その実施形態に対応した処理が実行される。
【００８０】
（ａ）開閉状態によるデータ出力処理
図６は第１の実施形態における携帯電話機１１の処理動作を示すフローチャートであり、携帯電話機１１を構成する筐体１２と筐体１３の開閉状態による音声データの出力処理の流れが示されている。
【００８１】
例えば、ユーザが携帯電話機１１に設けられた操作部１８の機能キー１８ｄの押下により表示されるメニュー画面上で「音声ファイルの再生」項目を選択するなど、所定の操作により音声ファイルの再生モードを設定すると、ＣＰＵ４１により以下のような処理が実行される。
【００８２】
すなわち、ＣＰＵ４１は、まず、再生対象として指定された音声ファイルをＲＡＭ４３から読み込む（ステップＡ１１）。ここで、ＣＰＵ４１は、開閉検出スイッチ３３から出力される検出信号に基づいて筐体１２と筐体１３の開閉状態を検出する（ステップＡ１２）。
【００８３】
その結果、筐体１２と筐体１３が図１（ｂ）のように互いに折り畳まれて閉じられた状態であることが検出されると（ステップＡ１２のＹｅｓ）、ＣＰＵ４１は、図５（ａ）に示す制御テーブルＴ１を参照することで、本機器に備えられた２つの特殊スピーカ３１，３２の一方の特殊スピーカ３１をオン、他方の特殊スピーカ３２をオフするように出力切替え部４５を制御する（ステップＡ１３）。詳しくは、出力切替え部４５内に設けられた特殊スピーカ３１に対応した図示せぬ第１の出力回路をオン、特殊スピーカ３２に対応した図示せぬ第２の出力回路をオフとして、音声データの出力を一方の特殊スピーカ３１のみを通じて行う状態を設定する。
【００８４】
一方、筐体１２と筐体１３が図１（ａ）のように開いた状態であることが検出されると（ステップＡ１２のＮｏ）、ＣＰＵ４１は、図５（ｂ）に示す制御テーブルＴ２を参照することで、本機器に備えられた２つの特殊スピーカ３１，３２の両方をオンするように出力切替え部４５を制御する（ステップＡ１４）。詳しくは、出力切替え部４５内に設けられた特殊スピーカ３１に対応した図示せぬ第１の出力回路をオン、特殊スピーカ３２に対応した図示せぬ第２の出力回路をオンして、音声データの出力を両方の特殊スピーカ３１，３２を通じて行う状態を設定する。
【００８５】
そして、ＣＰＵ４１は、前記ステップＡ１１で読み込んだ音声ファイルの再生処理を行い、その音声ファイルをデータ化した音声データをオン状態の特殊スピーカを通じて外部に出力する（ステップＡ１５）。この場合、筐体１２と筐体１３が閉状態であれば、一方の特殊スピーカ３１のみを通じて音声データがモノラル形式で出力され、また、筐体１２と筐体１３が開状態であれば、両方の特殊スピーカ３１，３２を通じて音声データがステレオ形式で出力されることになる。
【００８６】
（ｂ）開閉状態と向きによるデータ出力処理
図７は第１の実施形態における携帯電話機１１の処理動作を示すフローチャートであり、携帯電話機１１を構成する筐体１２と筐体１３の開閉状態と筐体１３の向きによる音声データの出力処理の流れが示されている。
【００８７】
例えば、ユーザが携帯電話機１１に設けられた操作部１８の機能キー１８ｄの押下により表示されるメニュー画面上で「音声ファイルの再生」項目を選択するなど、所定の操作により音声ファイルの再生モードを設定すると、ＣＰＵ４１により以下のような処理が実行される。
【００８８】
すなわち、ＣＰＵ４１は、まず、再生対象として指定された音声ファイルをＲＡＭ４３から読み込む（ステップＢ１１）。ここで、ＣＰＵ４１は、開閉検出スイッチ３３から出力される検出信号に基づいて筐体１２と筐体１３の開閉状態を検出する（ステップＢ１２）。
【００８９】
その結果、筐体１２と筐体１３が図１（ｂ）のように互いに折り畳まれて閉じられた状態であることが検出されると（ステップＢ１２のＹｅｓ）、ＣＰＵ４１は、図５（ｂ）に示す制御テーブルＴ２を参照することで、本機器に備えられた２つの特殊スピーカ３１，３２の一方の特殊スピーカ３１をオン、他方の特殊スピーカ３２をオフするように出力切替え部４５を制御する（ステップＢ１６）。詳しくは、出力切替え部４５内に設けられた特殊スピーカ３１に対応した図示せぬ第１の出力回路をオン、特殊スピーカ３２に対応した図示せぬ第２の出力回路をオフとして、音声データの出力を一方の特殊スピーカ３１のみを通じて行う状態を設定する。
【００９０】
一方、筐体１２と筐体１３が図１（ｂ）のように開いた状態であることが検出されると（ステップＢ１２のＹｅｓ）、ＣＰＵ４１は、向き検出センサ３４から出力される検出信号に基づいて筐体１３の向きを検出する（ステップＢ１３）。
【００９１】
その結果、筐体１３が図３（ａ）のように縦向きの状態であったならば（ステップＢ１３のＮｏ）、ＣＰＵ４１は、図５（ｂ）に示す制御テーブルＴ２を参照することで、前記閉状態のときと同様に、本機器に備えられた２つの特殊スピーカ３１，３２の一方の特殊スピーカ３１をオン、他方の特殊スピーカ３２をオフするように出力切替え部４５を制御する（ステップＢ１６）。
【００９２】
なお、筐体１３が図３（ｂ）のように水平向きの状態であった場合も同様とする。つまり、筐体１３の向きが横向き以外の状態であると、前記２つの特殊スピーカ３１，３２の特殊スピーカ３２が手や机などで塞がれる可能性があり、両方を有効的に使えないため、一方の特殊スピーカ３１のみをオンとするものである。
【００９３】
また、筐体１３が図３（ｂ）のように横向きの状態であったならば（ステップＢ１３のＹｅｓ）、図５（ｂ）に示す制御テーブルＴ２を参照することで、本機器に備えられた２つの特殊スピーカ３１，３２の両方をオンするように出力切替え部４５を制御する（ステップＢ１５）。詳しくは、出力切替え部４５内に設けられた特殊スピーカ３１に対応した図示せぬ第１の出力回路をオン、特殊スピーカ３２に対応した図示せぬ第２の出力回路をオンして、音声データの出力を両方の特殊スピーカ３１，３２を通じて行う状態を設定する。
【００９４】
なお、このときに再生対象である音楽ファイルがステレオ形式であるか否かを判断し（ステップＢ１４）、ステレオ形式であれば、両方の特殊スピーカ３１，３２をオンとし、モノラル形式であれば、一方の特殊スピーカ３１のみをオンとするような処理を加えても良い。さらに、モノラル形式の場合に、両方の特殊スピーカ３１，３２をオンして両方から同じ音声を出力することでも良い。
【００９５】
そして、ＣＰＵ４１は、前記ステップＢ１１で読み込んだ音声ファイルの再生処理を行い、その音声ファイルをデータ化した音声データをオン状態の特殊スピーカを通じて外部に出力する（ステップＢ１７）。この場合、筐体１２と筐体１３が閉状態であれば、一方の特殊スピーカ３１のみを通じて音声データがモノラル形式で出力され、また、筐体１２と筐体１３が開状態であれば、両方の特殊スピーカ３１，３２を通じて音声データがステレオ形式で出力されることになる。
【００９６】
このように、折り畳み式の携帯電話機１１において、筐体１２と筐体１３のそれぞれの外側面１２ｂ，１３ｂ（つまり各筐体１２，１３の背面）に特殊スピーカ３１，３２を設け、筐体１２と筐体１３の開閉状態に応じて特殊スピーカ３１，３２の一方あるいは両方を使用して音声出力するようにしたことで、以下のような効果が奏せられる。
【００９７】
（１）筐体１２と筐体１３を開くことで、特殊スピーカ３１，３２の両方を使用して音声データをステレオ形式で再生することができる。
【００９８】
（２）筐体１２と筐体１３を閉じた場合には一方の特殊スピーカ３１を使用して音声データをモノラル形式で再生できる。その際に、特殊スピーカ３１が通常のスピーカ１６のように内側になって隠れてしまうことがないので、閉じた状態でも音声データをクリアに再生することができる。
【００９９】
（３）筐体１２と筐体１３を開いた状態では、特殊スピーカ３１，３２が同じ方向を向くため、左右でバランスの良いステレオ再生が可能となる。
【０１００】
（４）筐体１２と筐体１３を開いた状態では、特殊スピーカ３１，３２が長手方向に離れるので、よりダイナミックなステレオ再生が可能となる。
【０１０１】
（５）さらに、筐体１３の向きを検出する機能を備えることで、図３（ｂ）のように筐体１３を開いて横向きにした姿勢でのみ特殊スピーカ３１，３２の両方を使用してステレオ再生をダイナミックに行うことができる。
【０１０２】
なお、この携帯電話機１１において、特殊スピーカ３１を筐体１２の外側面１２ｂ、特殊スピーカ３２を筐体１３の外側面１３ｂに設けたが、一方の特殊スピーカ３１だけを筐体１２の外側面１２ｂに設け、他方の特殊スピーカ３２を筐体１３の内側面１３ａに設ける構成としても良い。
【０１０３】
また、図８および図９に示すように、筐体１２，１３の先端部に特殊スピーカ３１，３２を設けることでも良い。このようにすれば、筐体１２，１３の先端部をユーザに向けて音声データを出力することができ、筐体１２と筐体１３を開いて両方の特殊スピーカ３１，３２を使用する場合に、筐体１２と筐体１３の開口角度に応じて、左右のバランスを調整することができる。
【０１０４】
（その他の機器）
図１０は蓋構造が異なる他の携帯電話機５１の外観構成を示す図であり、図１０（ａ）は蓋体を開いた状態、同図（ｂ）は蓋体を閉じた状態を示している。
【０１０５】
この携帯電話機５１は、蓋体として用いられる筐体５２と、機器本体として用いられる筐体５３とからなり、筐体５２は筐体５３に対してヒンジ機構５４を介して開閉自在に取り付けられている。この場合、折り畳み式であることは、図１に示した携帯電話機１１と同じであるが、この携帯電話機５１では、蓋体である筐体５２を閉じた場合に筐体５３の表面５３ａの全体を覆うのではなく、一部を露出させる構造を有する。
【０１０６】
筐体５３側において、蓋体である筐体５２を閉じたときに覆われる部分には、例えばダイヤルキー、電源キーなどの各種キーからなる操作部５５が設けられている。また、筐体５２によって覆われない部分つまり露出している部分には、例えばＬＣＤ表示器などからなる表示部５６が設けられている。
【０１０７】
このような構成において、蓋体である筐体５２の内側面５２ａの先端付近に特殊スピーカ３１、機器本体である筐体５３の表面５３ａの先端付近に特殊スピーカ３２を配置すれば、図１０（ａ）に示すように、筐体５２を開いた状態で特殊スピーカ３１，３２の両方を使用して音声データをステレオ再生することができる。また、図１０（ｂ）に示すように、筐体５２を閉じた状態では、特殊スピーカ３２のみを使用して音声データをモノラル再生することができる。
【０１０８】
また、携帯電話機の他にも、折り畳み式の構造を有する電子機器であれば、例えばＰＤＡ（Personal Digital Assistant）、デジタルカメラ、ビデオカメラ（ムービカメラ）、ノート型パソコン、携帯型オーディオプレイヤーなどでも同様に適用可能である。
【０１０９】
図１１に折り畳み式のＰＤＡ６１に適用した場合の例を示す。図１１（ａ）は蓋体を開いた状態、同図（ｂ）は蓋体を閉じた状態を示している。
【０１１０】
このＰＤＡ６１は、蓋体として用いられる筐体６２と、機器本体として用いられる筐体６３とからなり、筐体６２は筐体６３に対してヒンジ機構６４を介して開閉自在に取り付けられている。使用時には、図１１（ａ）に示すように、蓋体である筐体６２を引き起こして開いた状態とする。この筐体６２の内側面には、例えばＬＣＤ表示器などからなる表示部６５が設けられている。また、機器本体である筐体６３の内側面には、各種操作キーからなる操作部６６が設けられている。
【０１１１】
ここで、図１１（ｂ）に示すように、筐体６２と筐体６３の先端部に特殊スピーカ３１，３２を設置することで、図８および図９で説明したように、筐体６２と筐体６３を閉じた状態では特殊スピーカ３１，３２の一方（特殊スピーカ３１）を使用し、開いた状態では特殊スピーカ３１，３２の両方を使用して音声出力することができる。
【０１１２】
（第２の実施形態）
次に、本発明の第２の実施形態について説明する。
【０１１３】
前記第１の実施形態では、折り畳み式の携帯電話機１１において、音声機器として２つの特殊スピーカ３１，３２を備えた構成について説明したが、第２の実施形態では、図１２に示すように、２つの特殊マイク７１，７２を備える。なお、携帯電話機１１としての基本的な外観構成は図１と同様であるため、ここでは異なる構成についてのみ説明するものとする。
【０１１４】
図１２は第２の実施形態における携帯電話機１１に備えられた特殊マイク７１，７２の設置例を示す図である。
【０１１５】
この携帯電話機１１には、図１に示した通常のマイクロホン１９とは別に、音楽データなどの様々な音声データを入力するための特定の音声入力機器として特殊マイク７１，７２が備えられている。この特殊マイク７１，７２の一方の特殊マイク７１は蓋体である筐体１２の外側面１２ｂに設けられ、他方の特殊マイク７２は機器本体である筐体１３の外側面１３ｂに設けられている。この場合、筐体１２，１３を開いた状態で、この２つの特殊マイク７１，７２がある程度の間隔を開けて離間するように、それぞれの筐体１２，１３の一端側に配設される。
【０１１６】
図１３は第２の実施形態における携帯電話機１１の回路構成を示すブロック図である。なお、前記第１の実施形態における図４の構成と同じ部分には同一符号を付し、その詳しい説明は省略するものとする。
【０１１７】
この携帯電話機１１には、ＣＰＵ１１と、このＣＰＵ１１に接続される操作部１８、メイン表示部１５、サブ表示部１７、開閉検出スイッチ３３、向き検出センサ３４、ＲＯＭ４２、ＲＡＭ４３、通信部４４、入力切替え部４６が備えられている。前記第１の実施形態（図４）と異なる点は、ＲＡＭ４３にマイク切替え用の制御テーブルＴ３，Ｔ４が設けられていることと、出力切替え部４５に代わって入力切替え部４６が設けられていることである。
【０１１８】
入力切替え部４６は、ＣＰＵ４１からの切替え指示に従って、２つの特殊マイク７１，７２のオン／オフ動作の切り替えを行う。図１２に示したように、特殊マイク７１は蓋体である筐体１２の外側面１２ｂに設けられ、特殊マイク７２は機器本体である筐体１３の外側面１３ｂに設けられており、音声入力時にはその両方のマイクあるいは一方のマイクが使用される。
【０１１９】
図１４は携帯電話機１１のＲＡＭ４３に設けられた制御テーブルＴ３およびＴ４の構成を示す図であり、図１４（ａ）は制御テーブルＴ３の構成、同図（ｂ）は制御テーブルＴ４の構成を示している。なお、図中のマイクＡは特殊マイク７１、マイクＢは特殊マイク７２に対応している。
【０１２０】
制御テーブルＴ３は、筐体１２，１３の開閉状態と使用マイクとの対応関係を記憶したテーブルである。図１４（ａ）に示すように、この制御テーブルＴ３には、筐体１２，１３が閉状態のときに特殊マイク７１（マイクＡ）を使用し、筐体１２，１３が開状態のときに特殊マイク７１（マイクＡ）と特殊マイク７２（マイクＢ）の両方を使用することが予め設定されている。
【０１２１】
制御テーブルＴ４は、筐体１２，１３の開閉状態および筐体１３の向きと使用マイクとの対応関係を記憶したテーブルである。図１４（ｂ）に示すように、この制御テーブルＴ４には、筐体１２，１３が閉状態のときに特殊マイク７１（マイクＡ）を使用することが予め設定されている。また、筐体１２，１３が開状態であり、かつ、筐体１３の向きが縦向きのときに特殊マイク７１（マイクＡ）を使用し、筐体１２，１３が開状態であり、かつ、筐体１３の向きが横向きのときに特殊マイク７１（マイクＡ）と特殊マイク７２（マイクＢ）の両方を使用することが予め設定されている。
【０１２２】
次に、第２の実施形態の動作について説明する。
【０１２３】
（ａ）開閉状態によるデータ入力処理
図１５は第２の実施形態における携帯電話機１１による処理動作を示すフローチャートであり、携帯電話機１１を構成する筐体１２と筐体１３の開閉状態による音声データの入力処理の流れが示されている。
【０１２４】
例えば、ユーザが携帯電話機１１に設けられた操作部１８の機能キー１８ｄの押下により表示されるメニュー画面上で「音声ファイルの作成」項目を選択するなど、所定の操作により音声ファイルの作成モードを設定すると、ＣＰＵ４１により以下のような処理が実行される。
【０１２５】
すなわち、ＣＰＵ４１は、まず、開閉検出スイッチ３３から出力される検出信号に基づいて筐体１２と筐体１３の開閉状態を検出する（ステップＣ１１）。
【０１２６】
その結果、筐体１２と筐体１３が図１（ｂ）のように互いに折り畳まれて閉じられた状態であることが検出されると（ステップＣ１１のＹｅｓ）、ＣＰＵ４１は、図１４（ａ）に示す制御テーブルＴ３を参照することで、本機器に備えられた２つの特殊マイク７１，７２の一方の特殊マイク７１をオン、他方の特殊マイク７２をオフするように入力切替え部４６を制御する（ステップＣ１２）。詳しくは、入力切替え部４６内に設けられた特殊マイク７１に対応した図示せぬ第１の入力回路をオン、特殊マイク７２に対応した図示せぬ第２の入力回路をオフとして、音声データの入力を一方の特殊マイク７１のみを通じて行う状態を設定する。
【０１２７】
そして、ＣＰＵ４１は、書き込み対象となる音声ファイル（最初はデータなしのファイル）のヘッダ部分にモノラル音声ファイルであることを示すデータを付加した後（ステップＣ１３）、前記オン状態の特殊マイク７１を通じて音声データを１チャンネルで入力し、所定の方式で圧縮しながら例えばＲＡＭ４３に一旦記録し（ステップＣ１４）、音声入力終了後に、前記ヘッダ部分と前記圧縮音声データを結合してモノラル音声ファイルを生成する（ステップＣ１５）。なお、このようにして生成されたモノラル音声ファイルは、ＲＡＭ４３とは別の図示せぬメモリに保存される。
【０１２８】
一方、筐体１２と筐体１３が図１（ａ）のように開いた状態であることが検出されると（ステップＣ１１のＹｅｓ）、ＣＰＵ４１は、図１４（ａ）に示す制御テーブルＴ４を参照することで、本機器に備えられた２つの特殊マイク７１，７２の両方をオンするように入力切替え部４６を制御する（ステップＣ１６）。詳しくは、入力切替え部４６内に設けられた特殊マイク７１に対応した図示せぬ第１の入力回路をオン、特殊マイク７２に対応した図示せぬ第２の入力回路をオンして、音声データの入力を両方の特殊マイク７１，７２を通じて行う状態を設定する。
【０１２９】
そして、ＣＰＵ４１は、書き込み対象となる音声ファイル（最初はデータなしのファイル）のヘッダ部分にステレオ音声ファイルであることを示すデータを付加した後（ステップＣ１７）、前記オン状態の２つの特殊マイク７１，７２を通じて音声データを２チャンネルで入力し、所定の方式で圧縮しながら例えばＲＡＭ４３に一旦記録し（ステップＣ１８）、音声入力終了後に、前記ヘッダ部分と前記圧縮音声データを結合してステレオ音声ファイルを生成する（ステップＣ１９）。なお、前記モノラル音声ファイルと同様に、このステレオ音声ファイルは、ＲＡＭ４３とは別の図示せぬメモリに保存される。
【０１３０】
（ｂ）開閉状態と向きによるデータ入力処理
図１６は第２の実施形態における携帯電話機１１の処理動作を示すフローチャートであり、携帯電話機１１を構成する筐体１２と筐体１３の開閉状態と筐体１３の向きによる音声データの入力処理の流れが示されている。
【０１３１】
例えば、ユーザが携帯電話機１１に設けられた操作部１８の機能キー１８ｄの押下により表示されるメニュー画面上で「音声ファイルの作成」項目を選択するなど、所定の操作により音声ファイルの作成モードを設定すると、ＣＰＵ４１により以下のような処理が実行される。
【０１３２】
すなわち、ＣＰＵ４１は、まず、開閉検出スイッチ３３から出力される検出信号に基づいて筐体１２と筐体１３の開閉状態を検出する（ステップＤ１１）。
【０１３３】
その結果、筐体１２と筐体１３が図１（ｂ）のように互いに折り畳まれて閉じられた状態であることが検出されると（ステップＤ１１のＹｅｓ）、ＣＰＵ４１は、図１４（ａ）に示す制御テーブルＴ３を参照することで、本機器に備えられた２つの特殊マイク７１，７２の一方の特殊マイク７１をオン、他方の特殊マイク７２をオフするように入力切替え部４６を制御する（ステップＤ１２）。詳しくは、入力切替え部４６内に設けられた特殊マイク７１に対応した図示せぬ第１の入力回路をオン、特殊マイク７２に対応した図示せぬ第２の入力回路をオフとして、音声データの入力を一方の特殊マイク７１のみを通じて行う状態を設定する。
【０１３４】
そして、ＣＰＵ４１は、書き込み対象となる音声ファイル（最初はデータなしのファイル）のヘッダ部分にモノラル音声ファイルであることを示すデータを付加した後（ステップＤ１３）、前記オン状態の特殊マイク７１を通じて音声データを１チャンネルで入力し、所定の方式で圧縮しながら例えばＲＡＭ４３に一旦記録し（ステップＤ１４）、音声入力終了後に、前記ヘッダ部分と前記圧縮音声データを結合してモノラル音声ファイルを生成する（ステップＤ１５）。
【０１３５】
一方、筐体１２と筐体１３が図１（ａ）のように開いた状態であることが検出されると（ステップＤ１１のＮｏ）、ＣＰＵ４１は、向き検出センサ３４から出力される検出信号に基づいて筐体１３の向きを検出する（ステップＤ１６）。
【０１３６】
その結果、筐体１３が図３（ａ）のように縦向きの状態であったならば（ステップＤ１６のＮｏ）、ＣＰＵ４１は、図１４（ｂ）に示す制御テーブルＴ４を参照することで、前記閉状態のときと同様に、本機器に備えられた２つの特殊マイク７１，７２の一方の特殊マイク７１をオン、他方の特殊マイク７２をオフするように入力切替え部４６を制御する（ステップＤ１２）。
【０１３７】
なお、筐体１３が図３（ｂ）のように水平向きの状態であった場合も同様とする。つまり、筐体１３の向きが横向き以外の状態であると、前記２つの特殊マイク７１，７２の特殊マイク７２が手や机などで塞がれる可能性があり、両方を有効的に使えないため、一方の特殊マイク７１のみをオンとするものである。
【０１３８】
また、筐体１３が図３（ｂ）のように横向きの状態であったならば（ステップＤ１６のＹｅｓ）、図１４（ｂ）に示す制御テーブルＴ４を参照することで、本機器に備えられた２つの特殊マイク７１，７２の両方をオンするように入力切替え部４６を制御する（ステップＤ１７）。詳しくは、入力切替え部４６内に設けられた特殊マイク７１に対応した図示せぬ第１の入力回路をオン、特殊マイク７２に対応した図示せぬ第２の入力回路をオンして、音声データの入力を両方の特殊マイク７１，７２を通じて行う状態を設定する。
【０１３９】
そして、ＣＰＵ４１は、書き込み対象となる音声ファイル（最初はデータなしのファイル）のヘッダ部分にステレオ音声ファイルであることを示すデータを付加した後（ステップＤ１８）、前記オン状態の２つの特殊マイク７１，７２を通じて音声データを２チャンネルで入力し、所定の方式で圧縮しながら例えばＲＡＭ４３に一旦記録し（ステップＤ１９）、音声入力終了後に、前記ヘッダ部分と前記圧縮音声データを結合してステレオ音声ファイルを生成する（ステップＤ２０）。
【０１４０】
なお、モノラル／ステレオの区別のない音声ファイルフォーマットで記録する場合には、前記２つの特殊マイク７１，７２にて同じ音声データを記録することにより実現する。
【０１４１】
また、モノラルとステレオで記録する場合に、別の音声ファイルフォーマットを使うようにしても良い。これは、例えばモノラルの場合には、より高圧縮率のものを使用するなどである。
【０１４２】
このように、折り畳み式の携帯電話機１１において、筐体１２と筐体１３のそれぞれの外側面１２ｂ，１３ｂ（つまり各筐体１２，１３の背面）に特殊マイク７１，７２を設け、筐体１２と筐体１３の開閉状態に応じて特殊マイク７１，７２の一方あるいは両方を使用して音声入力するようにしたことで、以下のような効果が奏せられる。
【０１４３】
（１）筐体１２と筐体１３を開くことで、特殊マイク７１，７２の両方を使用して音声データをステレオ形式で録音することができる。
【０１４４】
（２）筐体１２と筐体１３を閉じた場合には一方の特殊マイク７１を使用して音声データをモノラル形式で録音できる。その際に、特殊マイク７１が通常のマイクロホン１９のように内側になって隠れてしまうことがないので、閉じた状態でも音声データをクリアに録音することができる。
【０１４５】
（３）筐体１２と筐体１３を開いた状態では、特殊マイク７１，７２が同じ方向を向くため、左右でバランスの良いステレオ録音が可能となる。
【０１４６】
（４）筐体１２と筐体１３を開いた状態では、特殊マイク７１，７２が長手方向に離れるので、より立体的なステレオ録音が可能となる。
【０１４７】
（５）さらに、筐体１３の向きを検出する機能を備えることで、図３（ｂ）のように筐体１３を開いて横向きにした姿勢でのみ特殊マイク７１，７２の両方を使用してステレオ録音をダイナミックに行うことができる。
【０１４８】
なお、この携帯電話機１１において、特殊マイク７１を筐体１２の外側面１２ｂ、特殊マイク７２を筐体１３の外側面１３ｂに設けたが、一方の特殊マイク７１だけを筐体１２の外側面１２ｂに設け、他方の特殊マイク７２を筐体１３の内側面１３ａに設ける構成としても良い。
【０１４９】
また、図８および図９と同様して、筐体１２，１３の先端部に特殊マイク７１，７２を設けることでも良い。このようにすれば、筐体１２，１３の先端部をユーザに向けて音声データを入力することができ、筐体１２と筐体１３を開いて両方の特殊マイク７１，７２を使用する場合に、筐体１２と筐体１３の開口角度に応じて、左右のバランスを調整することができる。
【０１５０】
また、図１０に示したような蓋構造が異なる他の携帯電話機５１に対しても適用可能であり、前記特殊スピーカ３１，３２を配置した場合と同様に、蓋体である筐体５２の内側面５２ａの先端付近に特殊マイク７１、機器本体である筐体５３の表面５３ａの先端付近に特殊マイク７２を配置すれば良い。
【０１５１】
また、携帯電話機の他にも、折り畳み式の構造を有する電子機器であれば、例えばＰＤＡ（Personal Digital Assistant）、デジタルカメラ、ビデオカメラ（ムービカメラ）、ノート型パソコン、携帯型オーディオプレイヤーなどでも同様に適用可能である。
【０１５２】
（第３の実施形態）
次に、本発明の第３の実施形態について説明する。
【０１５３】
第３の実施形態では、前記第２の実施形態における特殊マイク７１，７２に加えて、撮像機器である小型のカメラ７３，７４を備える。なお、携帯電話機１１としての基本的な外観構成は図１と同様であるため、ここでは異なる構成についてのみ説明するものとする。
【０１５４】
図１７は第３の実施形態における携帯電話機１１のカメラ７３，７４の設置例を示す図である。
【０１５５】
この携帯電話機１１には、小型のカメラ７３，７４を備える。このカメラ７３，７４は、例えばＣＣＤ（ｃｈａｒｇｅ  ｃｏｕｐｌｅｄ  ｄｅｖｉｃｅ）を用いた電子カメラからなり、静止画と動画の撮影が可能である。このカメラ７３，７４の一方のカメラ７３は蓋体である筐体１２の外側面１２ｂに設けられ、他方のカメラ７４は機器本体である筐体１３の外側面１３ｂに設けられている。この場合、筐体１２，１３を開いた状態で、この２つのカメラ７３，７４がある程度の間隔を開けて離間するように、それぞれの筐体１２，１３の一端側に配設される。
【０１５６】
また、カメラ７３，７４の近傍に特殊マイク７１，７２が設置されている。この特殊マイク７１，７２は、カメラ７３，７４の撮影動作に連動している。すなわち、例えば音声付きの画像データ（主として動画）を得る場合に、カメラ７３，７４の一方を使用する場合には特殊マイク７１，７２も一方を使い、カメラ７３，７４の両方を使用する場合には特殊マイク７１，７２も両方を使って撮影を行う。
【０１５７】
また、この２つのカメラ７３，７４の使用方法として、図１８に示すように、筐体１２と筐体１３を開いた状態で横向きにした場合に、カメラ７３，７４の各撮影レンズ７３ａ，７４ａを互いに内側に向けて配置しておけば、人間の目と同じような感覚で複眼にて撮影でき、立体的な画像が得られる。また、図１９に示すように、筐体１２と筐体１３を開いた状態で横向きにした場合に、カメラ７３，７４の各撮影レンズ７３ａ，７４ａを互いに外側に向けて配置しておけば、それぞれにカバーする撮影範囲を異にして超広角的な画像が得られる。
【０１５８】
図２０は第３の実施形態における携帯電話機１１の回路構成を示すブロック図である。なお、前記第１の実施形態における図４の構成と同じ部分には同一符号を付し、その詳しい説明は省略するものとする。
【０１５９】
この携帯電話機１１には、ＣＰＵ１１と、このＣＰＵ１１に接続される操作部１８、メイン表示部１５、サブ表示部１７、開閉検出スイッチ３３、向き検出センサ３４、ＲＯＭ４２、ＲＡＭ４３、通信部４４、入力切替え部４６、カメラ切替え部４７が備えられている。前記第１の実施形態（図４）と異なる点は、ＲＡＭ４３にマイク・カメラ切替え用の制御テーブルＴ５，Ｔ６が設けられていることと、出力切替え部４５に代わって入力切替え部４６およびカメラ切替え部４７が設けられていることである。
【０１６０】
入力切替え部４６は、ＣＰＵ４１からの切替え指示に従って、２つの特殊マイク７１，７２のオン／オフ動作の切り替えを行う。図１７に示したように、特殊マイク７１は蓋体である筐体１２の外側面１２ｂに設けられ、特殊マイク７２は機器本体である筐体１３の外側面１３ｂに設けられており、音声入力時にはその両方のマイクあるいは一方のマイクが使用される。
【０１６１】
カメラ切替え部４７は、ＣＰＵ４１からの切替え指示に従って、２つのカメラ７３，７４のオン／オフ動作の切り替えを行う。図１７に示したように、カメラ７３は蓋体である筐体１２の外側面１２ｂに設けられ、カメラ７４は機器本体である筐体１３の外側面１３ｂに設けられており、静止画あるいは動画の撮影時にはその両方のカメラあるいは一方のカメラが使用される。
【０１６２】
また、特殊マイク７１，７２とカメラ７３，７４は連動しており、カメラ７３，７４の一方を使用する場合にはカメラ７３，７４の一方を使用し、カメラ７３，７４の両方を使用する場合にはカメラ７３，７４の両方を使用するように、これらの切替え動作が制御される。
【０１６３】
なお、カメラ７３，７４としては、静止画／動画撮影可能な一般的な電子カメラを用いるものとし、その具体的な回路構成については省略する。これらのカメラ７３，７４の撮影動作はＣＰＵ４１によって制御されている。
【０１６４】
図２１は携帯電話機１１のＲＡＭ４３に設けられた制御テーブルＴ５およびＴ６の構成を示す図であり、図２１（ａ）は制御テーブルＴ５の構成、同図（ｂ）は制御テーブルＴ６の構成を示している。なお、図中のマイクＡは特殊マイク７１、マイクＢは特殊マイク７２、カメラＡはカメラ７３、カメラＢはカメラ７４に対応している
制御テーブルＴ５は、筐体１２，１３の開閉状態と使用マイク・カメラとの対応関係を記憶したテーブルである。図２１（ａ）に示すように、この制御テーブルＴ５には、筐体１２，１３が閉状態のときに特殊マイク７１（マイクＡ）およびカメラ７３（カメラＡ）を使用し、筐体１２，１３が開状態のときに特殊マイク７１（マイクＡ）と特殊マイク７２（マイクＢ）、カメラ７３（カメラＡ）とカメラ７４（カメラＢ）の両方を使用することが予め設定されている。
【０１６５】
制御テーブルＴ６は、筐体１２，１３の開閉状態および筐体１３の向きと使用マイク・カメラとの対応関係を記憶したテーブルである。図２１（ｂ）に示すように、筐体１２，１３が閉状態のときに特殊マイク７１（マイクＡ）およびカメラ７３（カメラＡ）を使用することが予め設定されている。また、筐体１２，１３が開状態であり、かつ、筐体１３の向きが縦向きのときに特殊マイク７１（マイクＡ）およびカメラ７３（カメラＡ）を使用し、筐体１２，１３が開状態であり、かつ、筐体１３の向きが横向きのときに特殊マイク７１（マイクＡ）と特殊マイク７２（マイクＢ）、カメラ７３（カメラＡ）とカメラ７４（カメラＢ）の両方を使用することが予め設定されている。
【０１６６】
次に、第３の実施形態の動作について説明する。
【０１６７】
（ａ）開閉状態によるデータ入力処理
図２２は第３の実施形態における携帯電話機１１の処理動作を示すフローチャートであり、携帯電話機１１を構成する筐体１２と筐体１３の開閉状態による音声付き画像データの入力処理の流れが示されている。
【０１６８】
例えば、ユーザが携帯電話機１１に設けられた操作部１８の機能キー１８ｄの押下により表示されるメニュー画面上で「音声付き画像ファイルの作成」項目を選択するなど、所定の操作により音声付き画像ファイルの作成モードを設定すると、ＣＰＵ４１により以下のような処理が実行される。なお、静止画と動画の両方可能であるが、ここでは動画の撮影を音声入力と共に行う場合を想定して説明する。
【０１６９】
すなわち、ＣＰＵ４１は、まず、開閉検出スイッチ３３から出力される検出信号に基づいて筐体１２と筐体１３の開閉状態を検出する（ステップＥ１１）。
【０１７０】
その結果、筐体１２と筐体１３が図１（ｂ）のように互いに折り畳まれて閉じられた状態であることが検出されると（ステップＥ１１のＹｅｓ）、ＣＰＵ４１は、図２１（ａ）に示す制御テーブルＴ５を参照することで、本機器に備えられた２つのカメラ７３，７４の一方のカメラ７３をオン、他方のカメラ７４をオフするようにカメラ切替え部４７を制御する（ステップＥ１２）。詳しくは、カメラ切替え部４７内に設けられたカメラ７３に対応した図示せぬ第１の入力回路をオン、カメラ７４に対応した図示せぬ第２の入力回路をオフとして、画像データの入力を一方の特殊マイク７１のみを通じて行う状態を設定する。
【０１７１】
また、カメラ動作に連動させて、ＣＰＵ４１は、本機器に備えられた２つの特殊マイク７１，７２の一方の特殊マイク７１をオン、他方の特殊マイク７２をオフするように入力切替え部４６を制御する（ステップＥ１３）。詳しくは、入力切替え部４６内に設けられた特殊マイク７１に対応した図示せぬ第１の入力回路をオン、特殊マイク７２に対応した図示せぬ第２の入力回路をオフとして、音声データの入力を一方の特殊マイク７１のみを通じて行う状態を設定する。
【０１７２】
そして、図１に示したカメラキー１８ｅの押下操作に伴い、ＣＰＵ４１は動画撮影を開始し、前記オン状態のカメラ７４および特殊マイク７１を通じて画像データおよび音声データをそれぞれ１チャンネルで入力し、これらを所定の方式で圧縮しながら例えばＲＡＭ４３に記録することで（ステップＥ１４）、音声付き画像ファイルを生成する（ステップＥ１８）。
【０１７３】
詳しくは、前記図１５の処理と同様に、まず、書き込み対象となる音声付き画像ファイル（最初はデータなしのファイル）のヘッダ部分に１チャンネルファイルであることを示すデータを付加しておき、そのヘッダ部分と前記圧縮画像データおよび前記圧縮音声データをそれぞれ結合して音声付き画像ファイルを生成する。なお、このようにして生成された音声付き画像ファイルは、ＲＡＭ４３とは別の図示せぬメモリに保存される。
【０１７４】
一方、筐体１２と筐体１３が図１（ａ）のように開いた状態であることが検出されると（ステップＥ１１のＮｏ）、ＣＰＵ４１は、図２１（ａ）に示す制御テーブルＴ５を参照することで、本機器に備えられた２つのカメラ７３，７４の両方をオンするようにカメラ切替え部４７を制御する（ステップＥ１５）。詳しくは、カメラ切替え部４７内に設けられたカメラ７３に対応した図示せぬ第１の入力回路をオン、カメラ７４に対応した図示せぬ第２の入力回路をオンして、画像データの入力を両方のカメラ７３，７４を通じて行う状態を設定する。
【０１７５】
また、カメラ動作に連動させて、ＣＰＵ４１は、本機器に備えられた２つの特殊マイク７１，７２の両方をオンするように入力切替え部４６を制御する（ステップＥ１６）。詳しくは、入力切替え部４６内に設けられた特殊マイク７１に対応した図示せぬ第１の入力回路をオン、特殊マイク７２に対応した図示せぬ第２の入力回路をオンして、音声データの入力を両方の特殊マイク７１，７２を通じて行う状態を設定する。
【０１７６】
そして、図１に示したカメラキー１８ｅの押下操作に伴い、ＣＰＵ４１は動画撮影を開始し、前記オン状態のカメラ７３，７４および特殊マイク７１，７２を通じて画像データおよび音声データをそれぞれ２チャンネルで入力し、これらを所定の方式で圧縮しながら例えばＲＡＭ４３に記録することで（ステップＥ１７）、音声付き画像ファイルを生成する（ステップＥ１８）。
【０１７７】
詳しくは、前記図１５の処理と同様に、まず、書き込み対象となる音声付き画像ファイル（最初はデータなしのファイル）のヘッダ部分に２チャンネルファイルであることを示すデータを付加しておき、そのヘッダ部分と前記圧縮画像データおよび前記圧縮音声データをそれぞれ結合して音声付き画像ファイルを生成する。なお、このようにして生成された音声付き画像ファイルは、ＲＡＭ４３とは別の図示せぬメモリに保存される。
【０１７８】
（ｂ）開閉状態と向きによるデータ入力処理
図２３は第３の実施形態における携帯電話機１１の処理動作を示すフローチャートであり、携帯電話機１１を構成する筐体１２と筐体１３の開閉状態と筐体１３の向きによる音声付き画像データの入力処理の流れが示されている。
【０１７９】
例えば、ユーザが携帯電話機１１に設けられた操作部１８の機能キー１８ｄの押下により表示されるメニュー画面上で「音声付き画像ファイルの作成」項目を選択するなど、所定の操作により音声付き画像ファイルの作成モードを設定すると、ＣＰＵ４１により以下のような処理が実行される。なお、静止画と動画の両方可能であるが、ここでは動画の撮影を音声入力と共に行う場合を想定して説明する。
【０１８０】
すなわち、ＣＰＵ４１は、まず、開閉検出スイッチ３３から出力される検出信号に基づいて筐体１２と筐体１３の開閉状態を検出する（ステップＦ１１）。
【０１８１】
その結果、筐体１２と筐体１３が図１（ｂ）のように互いに折り畳まれて閉じられた状態であることが検出されると（ステップＦ１１のＹｅｓ）、ＣＰＵ４１は、図２１（ｂ）に示す制御テーブルＴ６を参照することで、本機器に備えられた２つのカメラ７３，７４の一方のカメラ７３をオン、他方のカメラ７４をオフするようにカメラ切替え部４７を制御する（ステップＦ１２）。詳しくは、カメラ切替え部４７内に設けられたカメラ７３に対応した図示せぬ第１の入力回路をオン、カメラ７４に対応した図示せぬ第２の入力回路をオフとして、画像データの入力を一方の特殊マイク７１のみを通じて行う状態を設定する。
【０１８２】
また、カメラ動作に連動させて、ＣＰＵ４１は、本機器に備えられた２つの特殊マイク７１，７２の一方の特殊マイク７１をオン、他方の特殊マイク７２をオフするように入力切替え部４６を制御する（ステップＦ１３）。詳しくは、入力切替え部４６内に設けられた特殊マイク７１に対応した図示せぬ第１の入力回路をオン、特殊マイク７２に対応した図示せぬ第２の入力回路をオフとして、音声データの入力を一方の特殊マイク７１のみを通じて行う状態を設定する。
【０１８３】
そして、図１に示したカメラキー１８ｅの押下操作に伴い、ＣＰＵ４１は動画撮影を開始し、前記オン状態のカメラ７３および特殊マイク７１を通じて画像データおよび音声データをそれぞれ１チャンネルで入力し、これらを所定の方式で圧縮しながら例えばＲＡＭ４３に記録することで（ステップＦ１４）、音声付き画像ファイルを作成する（ステップＦ１９）。
【０１８４】
詳しくは、前記図１５の処理と同様に、まず、書き込み対象となる音声付き画像ファイル（最初はデータなしのファイル）のヘッダ部分に１チャンネルファイルであることを示すデータを付加しておき、そのヘッダ部分と前記圧縮画像データおよび前記圧縮音声データをそれぞれ結合して音声付き画像ファイルを生成する。なお、このようにして生成された音声付き画像ファイルは、ＲＡＭ４３とは別の図示せぬメモリに保存される。
【０１８５】
一方、筐体１２と筐体１３が図１（ａ）のように開いた状態であることが検出されると（ステップＦ１１のＮｏ）、ＣＰＵ４１は、向き検出センサ３４から出力される検出信号に基づいて筐体１３の向きを検出する（ステップＦ１５）。
【０１８６】
その結果、筐体１３が図３（ａ）のように縦向きの状態であったならば（ステップＦ１５のＮｏ）、ＣＰＵ４１は、図２１（ｂ）に示す制御テーブルＴ６を参照することで、前記閉状態のときと同様に、本機器に備えられた２つのカメラ７３，７４の一方のカメラ７３をオン、他方のカメラ７４をオフするようにカメラ切替え部４７を制御する（ステップＦ１２）。
【０１８７】
また、カメラ動作に連動させて、ＣＰＵ４１は、本機器に備えられた２つの特殊マイク７１，７２の一方の特殊マイク７１をオン、他方の特殊マイク７２をオフするように入力切替え部４６を制御する（ステップＦ１３）。
【０１８８】
なお、筐体１３が図３（ｂ）のように水平向きの状態であった場合も同様とする。つまり、筐体１３の向きが横向き以外の状態であると、前記２つの特殊マイク７１，７２の特殊マイク７２が手や机などで塞がれる可能性があり、両方を有効的に使えないため、一方の特殊マイク７１のみをオンとするものである。カメラ７３，７４についても同じであり、筐体１３の向きが横向き以外では、一方のカメラ７３のみオンとする。
【０１８９】
また、筐体１３が図３（ｂ）のように横向きの状態であったならば（ステップＦ１５のＹｅｓ）、図２１（ｂ）に示す制御テーブルＴ６を参照することで、本機器に備えられた２つのカメラ７３，７４の両方をオンするようにカメラ切替え部４７を制御する（ステップＦ１５）。詳しくは、カメラ切替え部４７内に設けられたカメラ７３に対応した図示せぬ第１の入力回路をオン、カメラ７４に対応した図示せぬ第２の入力回路をオンして、画像データの入力を両方のカメラ７３，７４を通じて行う状態を設定する。
【０１９０】
また、カメラ動作に連動させて、ＣＰＵ４１は、本機器に備えられた２つの特殊マイク７１，７２の両方をオンするように入力切替え部４６を制御する（ステップＦ１７）。詳しくは、入力切替え部４６内に設けられた特殊マイク７１に対応した図示せぬ第１の入力回路をオン、特殊マイク７２に対応した図示せぬ第２の入力回路をオンして、音声データの入力を両方の特殊マイク７１，７２を通じて行う状態を設定する。
【０１９１】
そして、図１に示したカメラキー１８ｅの押下操作に伴い、ＣＰＵ４１は動画撮影を開始し、前記オン状態の２つのカメラ７３，７４および特殊マイク７１，７２を通じて画像データおよび音声データをそれぞれ２チャンネルで入力し、これらを所定の方式で圧縮しながら例えばＲＡＭ４３に記録することで（ステップＦ１８）、音声付き画像ファイルを作成する（ステップＦ１９）。
【０１９２】
詳しくは、前記図１５の処理と同様に、まず、書き込み対象となる音声付き画像ファイル（最初はデータなしのファイル）のヘッダ部分に２チャンネルファイルであることを示すデータを付加しておき、そのヘッダ部分と前記圧縮画像データおよび前記圧縮音声データをそれぞれ結合して音声付き画像ファイルを生成する。なお、このようにして生成された音声付き画像ファイルは、ＲＡＭ４３とは別の図示せぬメモリに保存される。
【０１９３】
このように、携帯電話機１１を構成する筐体１２と筐体１３のそれぞれに、特殊マイク７１，７２と共にカメラ７３，７４を設け、筐体１２と筐体１３の開閉状態や筐体１３の向きに応じて、これらを使い分ける構成としたことで、音声データをモノラルまたはステレオの形式で画像データと共に得ることができる。特に、図１８および図１９で説明したように、２つのカメラ７３，７４を使用して撮影を行えば、立体的な画像や超広角的な画像など、通常のカメラ付き携帯電話機では得られない独特な画像を簡単に得ることができる。
【０１９４】
なお、この第３の実施形態においても、他の実施形態と同様に適用機器としては携帯電話機１１に限らず、例えばＰＤＡ（Personal Digital Assistant）、デジタルカメラ、ビデオカメラ（ムービカメラ）、ノート型パソコン、携帯型オーディオプレイヤーなどでも同様に適用可能である。
【０１９５】
また、前記各実施形態において、特殊スピーカ３１，３２と特殊マイク７１，７２を組み合わせて筐体１２と筐体１３に設け、これらを前記同様に筐体１２と筐体１３の開閉状態や筐体１３の向きに応じて使い分けることでも良い。
【０１９６】
さらに、例えば特殊スピーカ３１，３２の一方を筐体１２の内側面１２ａ、他方を筐体１３の外側面１３ｂに配置し、筐体１２の内側にある特殊スピーカを通話時に用いられる通常のスピーカ１６を兼ねるようにしても良い。
【０１９７】
特殊マイク７１，７２についても、例えば特殊マイク７１，７２の一方を筐体１２の外側面１２ｂ、他方を筐体１３の内側面１３ａに配置し、筐体１３の内側にある特殊マイクを通話時に用いられる通常のマイクロホン１９を兼ねるようにしても良い。
【０１９８】
要するに、本発明は前記各実施形態に限定されるものではなく、実施段階ではその要旨を逸脱しない範囲で種々に変形することが可能である。更に、前記各実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【０１９９】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０２００】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ(Advanced Optical Disc)などの青色レーザを用いた次世代光ディスク、赤色レーザを用いるHD-DVD9、青紫色レーザを用いるＢｌｕｅ  Ｌａｓｅｒ  ＤＶＤなど、今後開発される種々の大容量記録媒体を用いて本発明を実施することが可能である。
【図面の簡単な説明】
【０２０１】
【図１】本発明の第１の実施形態に係る電子機器として折り畳み式の携帯電話機を例にした場合の外観構成を示す図であり、図１（ａ）は開いた状態、同図（ｂ）は閉じた状態を示す図。
【図２】同実施形態における携帯電話機に備えられた２つの特殊スピーカの設置例を示す図。
【図３】同実施形態における携帯電話機の向きを説明するための図であり、図３（ａ）は縦向き、同図（ｂ）は横向き、同図（ｃ）は水平向きの状態を示す図。
【図４】同実施形態における携帯電話機の回路構成を示すブロック図。
【図５】同実施形態における携帯電話機のＲＡＭに設けられた制御テーブルＴ１およびＴ２の構成を示す図であり、図５（ａ）は制御テーブルＴ１の構成、同図（ｂ）は制御テーブルＴ２の構成を示す図。
【図６】同実施形態における携帯電話機の処理動作を示すフローチャートであり、携帯電話機を構成する２つの筐体の開閉状態による音声データの出力処理の流れを説明するための図。
【図７】同実施形態における携帯電話機の処理動作を示すフローチャートであり、携帯電話機を構成する２つの筐体の開閉状態と一方の筐体の向きによる音声データの出力処理の流れを説明するための図。
【図８】同実施形態における携帯電話機の変形例として、各筐体の先端部に特殊スピーカをそれぞれ設置した場合の構成を示す図。
【図９】前記図８の携帯電話機の各筐体を開いた状態を示す図。
【図１０】蓋構造が異なる他の携帯電話機の外観構成を示す図であり、図１０（ａ）は蓋体を開いた状態、同図（ｂ）は蓋体を閉じた状態を示す図。
【図１１】折り畳み式のＰＤＡの構成を示す図であり、図１１（ａ）は蓋体を開いた状態、同図（ｂ）は蓋体を閉じた状態を示す図。
【図１２】本発明の第２の実施形態における携帯電話機に備えられた２つの特殊マイクの設置例を示す図。
【図１３】同実施形態における携帯電話機の回路構成を示すブロック図。
【図１４】同実施形態における携帯電話機のＲＡＭに設けられた制御テーブルＴ３およびＴ４の構成を示す図であり、図１４（ａ）は制御テーブルＴ３の構成、同図（ｂ）は制御テーブルＴ４の構成を示す図。
【図１５】同実施形態における携帯電話機による処理動作を示すフローチャートであり、携帯電話機を構成する２つの筐体の開閉状態による音声データの入力処理の流れを説明するための図。
【図１６】同実施形態における携帯電話機による処理動作を示すフローチャートであり、携帯電話機を構成する２つの筐体の開閉状態と一方の筐体の向きによる音声データの入力処理の流れを説明するための図。
【図１７】本発明の第３の実施形態における携帯電話機に備えられた２つのカメラの設置例を示す図。
【図１８】同実施形態における携帯電話機に備えられた２つのカメラの使用方法を説明するための図。
【図１９】同実施形態における携帯電話機に備えられた２つのカメラの使用方法を説明するための図。
【図２０】同実施形態における携帯電話機の回路構成を示すブロック図。
【図２１】同実施形態における携帯電話機のＲＡＭに設けられた制御テーブルＴ５およびＴ６の構成を示す図であり、図２１（ａ）は制御テーブルＴ５の構成、同図（ｂ）は制御テーブルＴ６の構成を示す図。
【図２２】同実施形態における携帯電話機の処理動作を示すフローチャートであり、携帯電話機を構成する２つの筐体の開閉状態による音声付き画像データの入力処理の流れを説明するための図。
【図２３】同実施形態における携帯電話機の処理動作を示すフローチャートであり、携帯電話機を構成する２つの筐体の開閉状態と一方の筐体による音声付き画像データの入力処理の流れを説明するための図。
【符号の説明】
【０２０２】
１１…携帯電話機、１２…筐体（蓋体）、１３…筐体（機器本体）、１４…ヒンジ機構、１５…メイン表示部、１６…スピーカ、１７…サブ表示部、１８…操作部、１９…マイクロホン、２０…アンテナ、２１…バッテリ収納部、３１，３２…特殊スピーカ、３３…開閉検出スイッチ、３４…向き検出センサ、４１…ＣＰＵ、４２…ＲＯＭ、４３…ＲＡＭ、４４…通信部、４５…出力切替え部、４６…入力切替え部、４７…カメラ切替え部、５１…携帯電話機、５２…筐体（蓋体）、５３…筐体（機器本体）、５４…ヒンジ機構、５５…操作部、５６…表示部、６１…ＰＤＡ、６２…筐体（蓋体）、６３…筐体（機器本体）、６４…ヒンジ機構、６５…表示部、６６…操作部、７１，７２…特殊マイク、７３，７４…カメラ、Ｔ１〜Ｔ６…制御テーブル。
【図１】
2006054799.tif 000003
【図２】
2006054799.tif 000004
【図３】
2006054799.tif 000005
【図４】
2006054799.tif 000006
【図５】
2006054799.tif 000007
【図６】
2006054799.tif 000008
【図７】
2006054799.tif 000009
【図８】
2006054799.tif 000010
【図９】
2006054799.tif 000011
【図１０】
2006054799.tif 000012
【図１１】
2006054799.tif 000013
【図１２】
2006054799.tif 000014
【図１３】
2006054799.tif 000015
【図１４】
2006054799.tif 000016
【図１５】
2006054799.tif 000017
【図１６】
2006054799.tif 000018
【図１７】
2006054799.tif 000019
【図１８】
2006054799.tif 000020
【図１９】
2006054799.tif 000021
【図２０】
2006054799.tif 000022
【図２１】
2006054799.tif 000023
【図２２】
2006054799.tif 000024
【図２３】
2006054799.tif 000025